(57)【特許請求の範囲】
【請求項１】
楽曲を再生する楽曲再生手段と、前記楽曲の楽曲情報を表示する表示部とを備える電子情報機器において、
前記楽曲情報は、１又は複数の楽曲関連項目を含み、
前記楽曲再生手段によって再生する楽曲の変更があったときに、前記再生する楽曲の変更後の前記楽曲の前記楽曲関連項目であって、前記再生する楽曲の変更の前後で内容に変更があった前記楽曲関連項目である変更項目のみを前記表示部に表示する表示制御手段と、
前記再生する楽曲の変更前の前記楽曲の前記楽曲関連項目を記憶する変更前楽曲記憶手段と、
前記再生する楽曲の変更後の前記楽曲の前記楽曲関連項目を記憶する変更後楽曲記憶手段と、
前記変更前楽曲記憶手段によって記憶された前記楽曲関連項目と、前記変更後楽曲記憶手段によって記憶された前記楽曲関連項目とを比較し、前記変更項目を特定する変更項目特定手段と、
を備えることを特徴とする電子情報機器。
【請求項２】
前記表示制御手段は、前記再生する楽曲の変更後所定期間の間、前記変更項目を前記表示部に表示し、前記所定期間の経過後前記変更項目の表示を停止する
ことを特徴とする請求項１に記載の電子情報機器。
【請求項３】
車両に搭載され、
前記表示部は、地図上に自車両位置を示す表示と、自車両が進むべき経路とをさらに表示し、
前記表示制御手段は、前記変更項目を前記表示部に表示する際、少なくとも前記自車両位置を示す表示と前記自車両が進むべき経路とを避けた位置に前記変更項目を表示する
ことを特徴とする請求項１又は２に記載の電子情報機器。
【請求項４】
前記表示部は、前記地図を表示した状態のまま、所定の条件に従って、前記地図及び前記楽曲情報よりも表示の優先度が高い特別表示を表示し、
前記表示制御手段は、前記変更項目を前記表示部に表示する際、前記表示部に前記特別表示が表示されている場合は、前記特別表示を避けた位置に前記変更項目を表示する
ことを特徴とする請求項３に記載の電子情報機器。
【請求項５】
前記表示制御手段は、前記変更項目を前記表示部に表示する際、前記変更項目と共に、前記楽曲関連項目に変更があった旨の表示を行う
ことを特徴とする請求項１乃至４のいずれかに記載の電子情報機器。
【請求項６】
楽曲を再生する楽曲再生手段と、前記楽曲の楽曲情報を表示する表示部とを備える電子情報機器の制御方法であって、
前記楽曲情報は、１又は複数の楽曲関連項目を含み、
前記楽曲再生手段によって再生する前記楽曲の変更があったとき、前記再生する楽曲の変更前の前記楽曲の前記楽曲関連項目を記憶すると共に、前記再生する楽曲の変更後の前記楽曲の前記楽曲関連項目を記憶し、記憶した変更前の前記楽曲関連項目と、変更後の前記楽曲関連項目との比較に基づいて、前記再生する楽曲の変更後の前記楽曲の前記楽曲関連項目であって、前記再生する楽曲の変更の前後で内容に変更があった前記楽曲関連項目である変更項目を特定し、前記変更項目のみを前記表示部に表示する
ことを特徴とする電子情報機器の制御方法。
【発明の詳細な説明】
【技術分野】
【０００１】
本発明は、楽曲の再生機能を有する電子情報機器、及び、この電子情報機器の制御方法に関する。
【背景技術】
【０００２】
従来、表示部に表示した地図上に目的地までの経路を示すことにより経路案内する車載システムにおいて、楽曲を再生する機能を有し、再生中の楽曲の曲名等の情報を表示部に表示する車載システムが知られている（例えば、特許文献１参照）。
この種の車載システムでは、表示部に地図を表示した状態のまま、現在再生中の楽曲の歌手名、アルバム名、楽曲名等の楽曲情報を表示部に表示するものがある。これによれば、ユーザは、表示部に表示された楽曲情報を見ることにより、現在再生されている楽曲の情報を容易に参照することができる。
【特許文献１】特開２００５−３７１４２号公報
【発明の開示】
【発明が解決しようとする課題】
【０００３】
しかしながら、従来の表示システムでは、表示の態様によっては表示部に表示された楽曲情報が邪魔になり地図が見にくくなることがあった。特に、最近の楽曲は、大量の曲の中から選曲される場合が多く、それに伴い多くの楽曲情報の項目を有している。そして、表示対象の楽曲情報の項目が多いときは、自ずと表示される楽曲情報の面積も大きくなってしまい、地図がより見えにくくなることがあった。
【０００４】
本発明は、上述した事情に鑑みてなされたものであり、ユーザが望む楽曲情報を提供しつつ、曲表示が、電子情報機器の表示部に表示された他の表示の妨げにならないような態様で表示する電子情報機器を提供することを目的とする。
【課題を解決するための手段】
【０００５】
上記目的を達成するために、本発明は、楽曲を再生する楽曲再生手段と、前記楽曲の楽曲情報を表示する表示部とを備える電子情報機器において、前記楽曲情報は、１又は複数の楽曲関連項目を含み、前記楽曲再生手段によって再生する楽曲の変更があったときに、前記再生する楽曲の変更後の前記楽曲の前記楽曲関連項目であって、前記再生する楽曲の変更の前後で内容に変更があった前記楽曲関連項目である変更項目のみを前記表示部に表示する表示制御手段と、前記再生する楽曲の変更前の前記楽曲の前記楽曲関連項目を記憶する変更前楽曲記憶手段と、前記再生する楽曲の変更後の前記楽曲の前記楽曲関連項目を記憶する変更後楽曲記憶手段と、前記変更前楽曲記憶手段によって記憶された前記楽曲関連項目と、前記変更後楽曲記憶手段によって記憶された前記楽曲関連項目とを比較し、前記変更項目を特定する変更項目特定手段と、を備えることを特徴とする。
この構成によれば、再生する楽曲の変更があったときに、楽曲関連項目のうちユーザが最も知りたい情報である変更項目のみが表示部に表示されるため、表示部に表示される楽曲情報が小さくて済み、ユーザが望む楽曲情報を提供しつつ表示部に表示された他の情報の見やすさを向上することができる。
【０００６】
ここで、上記発明の電子情報機器において、前記表示制御手段は、前記再生する楽曲の変更後所定期間の間、前記変更項目を前記表示部に表示し、前記所定期間の経過後前記変更項目の表示を停止するようにしてもよい。
この構成によれば、変更項目を所定期間の間表示部に表示し、それ以上表示する必要性が薄れた後は、変更項目の表示部への表示を停止するため、他の情報の見やすさを向上することができる。
【０００７】
また、上記発明の電子情報機器において、前記再生する楽曲の変更前の前記楽曲の前記楽曲関連項目を記憶する変更前楽曲記憶手段と、前記再生する楽曲の変更後の前記楽曲の前記楽曲関連項目を記憶する変更後楽曲記憶手段と、前記変更前楽曲記憶手段によって記憶された前記楽曲関連項目と、前記変更後楽曲記憶手段によって記憶された前記楽曲関連項目とを比較し、前記変更項目を特定する変更項目特定手段と、をさらに有するようにしてもよい。
この構成によれば、変更項目の特定を容易かつ確実に行うことができる。
【０００８】
また、上記構成の電子情報機器において、車両に搭載され、前記表示部は、地図上に自車両位置を示す表示と、自車両が進むべき経路とをさらに表示し、前記表示制御手段は、前記変更項目を前記表示部に表示する際、少なくとも前記自車両位置を示す表示と前記自車両が進むべき経路とを避けた位置に前記変更項目を表示するようにしてもよい。
この構成によれば、ユーザが自車両の進むべき経路を認識する際に、楽曲情報が邪魔になることなく、容易に経路を認識することができる。
【０００９】
また、上記構成の電子情報機器において、前記表示部は、前記地図を表示した状態のまま、所定の条件に従って、前記地図及び前記楽曲情報よりも表示の優先度が高い特別表示を表示し、前記表示制御手段は、前記変更項目を前記表示部に表示する際、前記表示部に前記特別表示が表示されている場合は、前記特別表示を避けた位置に前記変更項目を表示するようにしてもよい。
この構成によれば、楽曲情報を表示部に表示する場合であっても、地図や楽曲情報より優先度の高い特別表示の表示が確実に維持されることとなり、ユーザの利便性を向上することができる。
【００１０】
また、上記構成の電子情報機器において、前記表示制御手段は、前記変更項目を前記表示部に表示する際、前記変更項目と共に、前記楽曲関連項目に変更があった旨の表示を行うようにしてもよい。
この構成によれば、楽曲関連項目の変更が発生した旨が表示部に明確に表示されるため、ユーザは、表示部を参照することにより、容易に何れの楽曲関連項目に変更が発生したのかを認識できると共に、変更後の楽曲関連項目をすぐに知ることができる。
【００１１】
また、上記目的を達成するために、本発明は、楽曲を再生する楽曲再生手段と、前記楽曲の楽曲情報を表示する表示部とを備える電子情報機器の制御方法であって、前記楽曲情報は、１又は複数の楽曲関連項目を含み、前記楽曲再生手段によって再生する前記楽曲の変更があったとき、前記再生する楽曲の変更前の前記楽曲の前記楽曲関連項目を記憶すると共に、前記再生する楽曲の変更後の前記楽曲の前記楽曲関連項目を記憶し、記憶した変更前の前記楽曲関連項目と、変更後の前記楽曲関連項目との比較に基づいて、前記再生する楽曲の変更後の前記楽曲の前記楽曲関連項目であって、前記再生する楽曲の変更の前後で内容に変更があった前記楽曲関連項目である変更項目を特定し、前記変更項目のみを前記表示部に表示することを特徴とする電子情報機器の制御方法。
【発明の効果】
【００１２】
本発明によれば、楽曲再生手段によって再生される楽曲の変更があったときに、変更された後の楽曲の楽曲情報の楽曲関連項目のうち、変更される前の楽曲の楽曲情報の楽曲関連項目から変更があった楽曲関連項目が表示対象となるため、電子情報機器の表示部に表示された他の表示の妨げにならない態様で、ユーザに対し必要な曲情報を提供することができる。
【発明を実施するための最良の形態】
【００１３】
以下、図面を参照して本発明の実施の形態について説明する。
＜第１実施形態＞
図１は、本実施形態に係るナビゲーション装置１の機能的構成を示すブロック図である。このナビゲーション装置１は、車両に搭載されて使用されるものであり、車両の経路案内を行う経路案内機能を備えると共に、音楽ＣＤに記録された楽曲を再生する楽曲再生機能を備えている。
図１に示すように、ナビゲーション装置１は、制御部１０と、ＧＰＳユニット１１と、表示部１２と、操作部１３と、メディア装置１４（楽曲再生手段）と、オーディオ処理部１５と、ＨＤＤ１６とを備えている。
【００１４】
制御部１０は、ナビゲーション装置１の各部を中枢的に制御するものであり、図示せぬＣＰＵ、ＲＯＭ、ＲＡＭ、及びその周辺回路から構成される。制御部１０のＣＰＵは、ＲＯＭに記憶された制御プログラムを読み出して実行することによりナビゲーション装置１の各部を制御する。
ＧＰＳユニット１１は、ＧＰＳアンテナ（不図示）を介してＧＰＳ衛星からのＧＰＳ電波を受信し、このＧＰＳ電波に重畳されたＧＰＳ信号から車両の現在位置の経度及び緯度を示す現在地情報を演算により算出し、制御部１０に出力する。なお、ＧＰＳユニット１１に加えて、例えばジャイロセンサや車速パルスセンサ、加速度センサを設け、自立航法可能に構成してもよい。
表示部１２は、制御部１０の制御の下、各種情報を表示するためのものであり、タッチパネル付きの液晶表示装置が適用されている。上述した経路案内は、この表示部１２に表示された地図上に自車両の位置や自車両が進むべき経路が示されることによって行われる。その際、地図には、方位を示す方位表示１７（図６、図７及び図８参照）が表示され、ユーザの利便性が向上される。さらに、本実施形態では、表示部１２に地図が表示された状態で、楽曲に係る情報が表示され、ユーザは表示部１２を見ることにより特別な操作を介することなく容易に楽曲の情報を取得できる構成となっている。なお、表示部１２に表示される楽曲の情報の内容、表示の態様については後に詳述する。
操作部１３は、ナビゲーション装置１が備える各種操作子やタッチパネルの操作を検出する操作検出部やリモートコントローラ（不図示）からの送信信号を受信する受信部等から構成され、ユーザからの各種指示を制御部１０に出力する。
【００１５】
メディア装置１４は、メディアとしての音楽ＣＤを再生するための装置であり、制御部１０の制御の下、音楽ＣＤに記録された楽曲に係るデータの読み出しを行い、読み出したデータを信号としてオーディオ処理部１５に出力する。同時に、メディア装置１４は、音楽ＣＤに記録された楽曲のＴＯＣ（Table Of Contents）情報を読み取り、このＴＯＣ情報を示す信号を制御部１０に出力する。ＴＯＣ情報を示す信号を受信した制御部１０は、後述するＨＤＤ１６に記憶されたＴＯＣ情報データベース２０を参照し、当該ＴＯＣ情報を有する楽曲に係る歌手名、アルバム名、曲名等を示すデータを取得することができる。また、メディア装置１４は、再生する楽曲を変更したときや、音楽ＣＤに記録された一連の楽曲の再生が終了したとき等は、その旨の信号を制御部１０に送信する。
【００１６】
なお、本実施形態では、メディア装置１４として音楽ＣＤを再生するための装置を適用した場合を例にして説明するが、メディア装置はこれに限らず、例えば、ＭＤやＤＶＤ等の各種メディアを再生するための装置であってもよい。
また、例えば、ナビゲーション装置１を、ユーザが所有する携帯音楽プレーヤを有線通信、又は、無線通信可能に接続できるよう構成すると共に、この携帯音楽プレーヤに録音された楽曲を再生することができる構成としてもよい。この構成における制御部１０の動作の一例を説明すると、制御部１０は、通信可能に接続された携帯音楽プレーヤに録音された楽曲に係るデータの読み出しを行い、読み出したデータを信号としてオーディオ処理部１５に出力する。同時に、制御部１０は、携帯音楽プレーヤに録音された楽曲のＴＯＣ（Table Of Contents）情報を取得し、後述するＨＤＤ１６に記憶されたＴＯＣ情報データベース２０を参照し、当該ＴＯＣ情報を有する楽曲に係る歌手名、アルバム名、曲名等を示すデータを取得する。
【００１７】
オーディオ処理部１５は、メディア装置１４から入力された信号に基づいて、圧縮／復調処理を含む信号処理、デジタル／アナログ変換処理を実行して音声信号を生成し、この音声信号を順次スピーカ２１に出力する。
ＨＤＤ１６は、各種データを読み書き可能に記憶するハードディスクドライブ装置であり、表示部１２に表示する地図に係る各種データが格納された地図データベース２２や、ＴＯＣ情報と、このＴＯＣ情報を有する楽曲に関する情報（以下、楽曲に関する情報を単に「楽曲情報」という）とを関連付けて記憶するＴＯＣ情報データベース２０が記憶されている。
また、ＨＤＤ１６には、変更前楽曲情報テーブル２３、変更後楽曲情報テーブル２４、及び、変更項目テーブル２５が記憶されている。
なお、本実施形態では、楽曲情報は、楽曲関連項目として、歌手名、バンド名等のアーティスト名に係る情報からなる項目（以下、「歌手名項目」という）と、楽曲が記録されている音楽ＣＤのタイトル名に係る情報からなる項目（以下、「アルバム名項目」という）と、楽曲の曲名に係る情報からなる項目（以下、「曲名項目」という）との３つの楽曲関連項目を有している。
【００１８】
図２（Ａ）は、変更前楽曲情報テーブル２３の一例を模式的に示す図であり、図２（Ｂ）は、変更後楽曲情報テーブル２４の一例を模式的に示す図であり、図２（Ｃ）は、変更項目テーブル２５の一例を模式的に示す図である。
変更前楽曲情報テーブル２３は、メディア装置１４によって再生されている楽曲の変更があった場合において、変更前に再生されていた楽曲情報を楽曲関連項目毎に記憶するためのテーブルであり、図２（Ａ）に示すように、歌手名フィールド２３Ａと、アルバム名フィールド２３Ｂと、曲名フィールド２３Ｃとを有している。
歌手名フィールド２３Ａは、歌手名項目を示すデータが格納されるフィールドである。アルバム名フィールド２３Ｂは、アルバム名項目を示すデータが格納されるフィールドである。曲名フィールド２３Ｃは、曲名項目を示すデータが格納されるフィールドである。
また、変更後楽曲情報テーブル２４は、メディア装置１４によって再生されている楽曲の変更があった場合において、変更後の楽曲の楽曲情報を楽曲関連項目毎に記憶するためのテーブルであり、図２（Ｂ）に示すように、歌手名フィールド２４Ａと、アルバム名フィールド２４Ｂと、曲名フィールド２４Ｃとを有している。これら３つのフィールドに格納されるデータは、上述した変更前楽曲情報テーブル２３と同様である。
また、変更項目テーブル２５は、後に詳述するが、メディア装置１４によって再生されている楽曲の変更があった場合において、表示部１２に表示すべき楽曲関連項目を記憶するためのテーブルであり、図２（Ｃ）に示すように、歌手名フィールド２５Ａと、アルバム名フィールド２５Ｂと、曲名フィールド２５Ｃとを有している。これら３つのフィールドに格納されるデータは、上述した変更前楽曲情報テーブル２３と同様である。
【００１９】
ところで、上述したように、ナビゲーション装置１は、経路案内機能を有しており、経路案内中は表示部１２に表示された地図上に自車両の位置や自車両が進むべき経路を示すことになる。この場合において、表示部１２に楽曲情報を表示する際は、地図や自車両の位置、進むべき経路等の見やすさなるべく妨げられないようにしつつ、ユーザが望む楽曲情報を表示することが求められる。これを鑑み、本実施形態に係るナビゲーション装置１は、表示部１２に楽曲情報を表示する際以下の動作を実行している。
【００２０】
図３は、ナビゲーション装置１が表示部１２に楽曲情報を表示する際の動作、特に、再生中に楽曲の変更があったときにおけるナビゲーション装置１の動作を示すフローチャートである。なお、説明の便宜のため、フローチャートのスタート時点では、メディア装置１４によって音楽ＣＤに記録された楽曲が再生されているものとする。また、この図３のフローチャートに示す動作の実行時、制御部１０は、表示制御手段、変更前楽曲記憶手段、変更後楽曲記憶手段、及び、変更項目特定手段として機能する。
【００２１】
楽曲の再生中、制御部１０は、再生されている楽曲に変更があったか否かを監視する（ステップＳＡ１）。ここで、楽曲の変更とは、例えば、音楽ＣＤに記録された楽曲の順序に従って再生の対象が次の楽曲へ移ったり、ユーザが操作部１３を操作して再生対象の楽曲を意図的に変更したりすることによって、再生されている楽曲が異なる楽曲に変更されることをいう。なお、以下の説明において、説明の明確化のため、楽曲の再生の変更のことを、特に、「再生変更」という。
楽曲の再生変更があったとき（ステップＳＡ１：ＹＥＳ）、制御部１０は、変更項目特定処理を実行する（ステップＳＡ２）。ここで、図４を用いて変更項目特定処理について詳述する。
【００２２】
図４は、変更項目特定処理におけるナビゲーション装置１の動作を示すフローチャートである。変更項目特定処理とは、楽曲の再生変更があったときに、再生変更後の楽曲の楽曲情報の楽曲関連項目のうち、再生変更前の楽曲の楽曲情報の楽曲関連項目から変更があった楽曲関連項目（以下、「変更項目」という）を特定する処理である。なお、説明の便宜のため、図４のフローチャートのスタート時点においては、後述するステップＳＢ３の処理により、変更前楽曲情報テーブル２３の各フィールドに、再生変更前の楽曲の楽曲情報の楽曲関連項目を示すデータが既に格納されているものとする。
【００２３】
変更項目特定処理において、まず、制御部１０は、メディア装置１４から入力された再生変更後の楽曲のＴＯＣ情報を示す信号に基づいて、ＨＤＤ１６に記憶されたＴＯＣ情報データベース２０を参照し、再生変更後の楽曲の歌手名項目、アルバム名項目、及び、曲名項目を示すデータを取得し、これらのデータを変更後楽曲情報テーブル２４の各フィールドに格納する（ステップＳＢ１）。次いで、制御部１０は、変更前楽曲情報テーブル２３の各フィールドに格納されたデータと、変更後楽曲情報テーブル２４の各フィールドに格納されたデータとを比較し、データの内容が異なっている変更後楽曲情報テーブル２４のフィールドを特定することにより、上述した変更項目を特定する。すなわち、図２で示す例では、歌手名フィールド２３Ａ，２４Ａに格納されたデータ（共に歌手名項目が「○○○」）が一致し、かつ、アルバム名フィールド２３Ｂ，２４Ｂに格納されたデータ（共にアルバム名項目が「×××」）が一致しているものの、曲名フィールド２３Ｃ，２４Ｃに格納されたデータ（変更前楽曲情報テーブル２３は、曲名項目が「△△△」、変更後楽曲情報テーブル２４は、曲名項目が「□□□」）が異なっているため、この曲名フィールド２４Ｃを、格納されたデータの内容が異なっているフィールドとして特定する。そして、制御部１０は、変更後楽曲情報テーブル２４の曲名フィールド２４Ｃに格納されているデータに係る楽曲関連項目を変更項目として特定する。
【００２４】
さらに、変更項目を特定した後、制御部１０は、変更項目テーブル２５の対応するフィールドに、特定した変更項目を示すデータを格納する。ここで、変更項目テーブル２５に格納された変更項目を示すデータは、後に表示部１２に楽曲情報を表示する際に参照される。
変更項目を特定後、制御部１０は、変更後楽曲情報テーブル２４の内容で、変更前楽曲情報テーブル２３を更新する（ステップＳＢ３）。これにより、次に楽曲の再生変更があったときに、再生変更前の楽曲の楽曲情報を示すデータとして、変更前楽曲情報テーブル２３に格納されたデータを利用することができるようになる。
さて、前掲図３に戻り、変更項目特定処理実行後、制御部１０は、変更項目表示処理を実行する（ステップＳＡ３）。ここで、図５を用いて変更項目表示処理について詳述する。
【００２５】
図５は、変更項目表示処理におけるナビゲーション装置１の動作を示すフローチャートである。変更項目表示処理とは、変更項目特定処理において特定した変更項目を表示部１２に表示する処理である。
変更項目表示処理において、まず、制御部１０は、表示部１２に特別表示が表示されているか否かを判定する（ステップＳＣ１）。ここで特別表示について説明すると、本実施形態に係るナビゲーション装置１では、経路案内時において、自車両がある特定の交差点に接近したときにその交差点近辺の３Ｄ画面３０（図７参照）を表示部１２の中央に表示することによりユーザが容易に経路を把握できるようにする機能を有しているが、この３Ｄ画面３０が特別表示に該当する。この交差点付近の３Ｄ画面３０は、例えば、経路案内時において、自車両が次の誘導経路交差点に近づいた時に表示される。この他、本実施形態では、渋滞、事故等ユーザにとって価値のある交通情報をポップアップ表示する機能を有しているが、このとき表示される交通情報が特別表示に該当する。すなわち、特別表示とは、地図や楽曲情報よりも表示の優先度が高い表示であって、所定の条件に従って、表示部１２に表示されるものの総称である。
なお、上記交通情報には、例えば、光ビーコン、ＦＭ多重放送等を受信することによって得られるＶＩＣＳ情報等がある。
【００２６】
ステップＳＣ１において特別表示が表示されていない場合（ステップＳＣ１：ＮＯ）、制御部１０は、変更項目テーブル２５を参照することにより、表示部１２に表示すべき変更項目を取得し、この変更項目を表示部１２における所定の位置に表示する（ステップＳＣ２）。このようにステップＳＣ２において、制御部１０は、再生変更後の楽曲の楽曲情報の楽曲関連項目のうち、変更項目のみを表示部１２に表示するが、以下、変更項目のみを表示する理由及び表示の際の具体的な態様について説明する。
【００２７】
まず、制御部１０が表示部１２に変更項目のみを表示する理由について説明する。
楽曲の再生変更があったとき、楽曲情報のうちでユーザが最も知りたい楽曲情報は、再生変更前の楽曲の楽曲関連項目から変更があった再生変更後の楽曲の楽曲関連項目、すなわち、変更項目であると考えられる。なぜなら、再生変更の前後で変更が発生していない楽曲関連項目について、ユーザは、表示部１２の表示を参照するまでもなく把握していることが多く、あらためて知りたいと思う可能性は低いが、再生変更の前後で変更が発生した楽曲関連項目については、新たに確認したい、知りたいと思うと考えられるからである。本実施形態の例について当てはめると、再生変更の前後において、楽曲関連項目のうち歌手名項目とアルバム名項目に変更がなく曲名項目に変更があった場合、変更がなかった歌手名項目とアルバム名項目についてはユーザは把握していることが多く、また、あらためて知りたいと思う可能性が低いが、変更があった曲名項目については新たに確認したい、知りたいと思うと考えられる。
これを鑑みて、本実施形態では、再生変更があったとき、制御部１０は、ユーザが最も知りたい楽曲情報である変更項目のみを表示部１２に表示する。これにより、ユーザに有益な情報を提供し、ユーザの利便性の向上を図っている。
【００２８】
そして、本実施形態では、変更項目のみを表示部１２に表示することにより表示部１２の見やすさの向上も図っている。すなわち、表示部１２に表示すべき楽曲関連項目が多い場合、例えば、表示部１２に歌手名項目、アルバム名項目、及び、曲名項目の全てを表示する場合、表示部１２に表示される楽曲情報が大きくなり、自ずと表示された楽曲情報によって地図の隠れる部分が大きくなり、表示部１２の視認性が妨げられる。しかしながら、本実施形態では、ユーザが最も知りたい楽曲情報である変更項目のみが表示部１２に表示されるため、表示部１２に表示される楽曲情報が小さくて済み、表示部１２に表示された地図の見やすさを向上することができる。
【００２９】
次いで、ステップＳＣ２において変更項目を表示する際の具体的な表示の態様について図６を用いて説明する。
図６は、楽曲の再生変更があったときの表示部１２の状態を示す図であり、（Ａ）は、楽曲の再生変更前の表示部１２の状態を示し、（Ｂ）は、楽曲の再生変更後の表示部１２の状態を示す。なお、図６において、楽曲情報には、符号３３が用いられている。
図６（Ｂ）に示すように、楽曲の再生変更があったときに変更項目３３を表示部１２に表示する場合、制御部１０は、自車両の位置を示す自車両マーク３１や、自車両が進むべき経路３２（図６において太線で描かれた箇所）、方位表示１７等を避けた状態で変更項目３３を表示する。このため、ユーザが自車両の進むべき経路３２を認識する際に、楽曲情報が邪魔になることなく、容易に経路３２を認識することができる。特に、本実施形態では、楽曲情報のうち変更項目３３という少ない情報だけが表示部１２に表示されるため、上述した自車両マーク３１や経路３２、方位表示１７等を容易に避けて表示することができる。
さらに、本実施形態では、変更項目３３を表示部１２に表示する際、変更項目３３の周辺３４の地図の表示を完全に消すのではなく、周辺３４の画素の輝度を落とした状態とする。具体的には、変更項目３３に表示された文字部分の画素の輝度についてはそのままの輝度で表示すると共に、変更項目３３の周辺３４の画素の輝度を落とした状態で表示する。もしくは、変更項目３３に表示された文字部分の画素の輝度についてはそのままの輝度で表示し、変更項目３３の周辺３４を、変更項目３３及び周辺３４の画素と表示部１２に表示された背景画像の画素と合わせたものを除算した画素により表示する。このため、変更項目３３が表示された箇所における地図も視認することができ、ユーザの利便性の向上が図られている。
【００３０】
さて、前掲図５に戻り、ステップＳＣ２において表示部１２の所定の位置に変更項目を表示した後、制御部１０は、所定期間Ｓの計測を開始し（ステップＳＣ３）、この所定期間Ｓが経過したか否かを監視し（ステップＳＣ４）、所定期間Ｓが経過したときは（ステップＳＣ４：ＹＥＳ）、変更項目の表示部１２への表示を停止する（ステップＳＣ５）。このように、本実施形態では、楽曲の再生変更があったときは、変更項目を所定期間Ｓの間だけ表示部１２に表示し、所定期間Ｓの経過後はその表示を停止している。これは、一度、変更項目を表示部１２に表示し、この変更項目の内容をユーザが認識した後は、この変更項目を表示部１２に表示する必要性が薄れるため、変更項目の表示部１２への表示を停止することによって地図の見やすさを向上するためである。特に、本実施形態では、変更項目という少ない情報のみが表示部１２に表示されることとなるため、ユーザは、短期間で変更項目の内容を認識，理解することができる。
この所定期間Ｓとしては、ユーザが変更項目を認識するのに必要と思われる期間が設定され、例えば、１０秒が設定される。
【００３１】
一方、ステップＳＣ１において、表示部１２に特別表示が表示されている場合（ステップＳＣ１：ＹＥＳ）、制御部１０は、特別表示を表示部１２に表示した状態、かつ、この特別表示、自車両マーク３１、経路３２、及び、方位表示１７を避けた状態で、変更項目を所定の大きさで表示部１２に表示できるか否かを判定する（ステップＳＣ６）。
所定の大きさで変更項目を表示部１２に表示できる場合（ステップＳＣ６：ＹＥＳ）、制御部１０は、変更項目テーブル２５を参照し、変更項目を取得し、特別表示、自車両マーク３１、経路３２、及び、方位表示１７を避けた状態で変更項目を所定の大きさで表示部１２に表示する（ステップＳＣ７）。
ここで、ステップＳＣ７の動作について図７を用いて説明する。
【００３２】
図７は、楽曲の再生変更があったときの表示部１２の状態を示す図であり、（Ａ）は、楽曲の再生変更前の表示部１２の状態を示し、（Ｂ）は、楽曲の再生変更後の表示部１２の状態を示す。なお、図７において、楽曲情報には、符号３３が用いられている。
図７（Ｂ）に示すように、制御部１０は、３Ｄ画面３０（特別表示）、自車両マーク３１、経路３２、及び、方位表示１７を避けた状態で変更項目３３を表示部１２に表示する。これにより、ユーザが自車両の進むべき経路３２を認識する際に、楽曲情報が邪魔になることなく、容易に経路３２を認識することができる。特に、地図や楽曲情報より優先度の高い３Ｄ画面３０（特別表示）の表示が確実に維持されることとなり、ユーザの利便性を向上することができる。さらに、本実施形態では、楽曲情報のうち変更項目３３という少ない情報だけが表示部１２に表示されるため、上述した３Ｄ画面３０や、自車両マーク３１、経路３２、方位表示１７等を容易に避けて表示することができる。さらに、変更項目３３を表示部１２に表示する際、変更項目３３の周辺３４の地図の表示を完全に消すのではなく、周辺３４の画素の輝度を落とした状態とする。具体的には、変更項目３３に表示された文字部分の画素の輝度についてはそのままの輝度で表示すると共に、変更項目３３の周辺３４の画素の輝度を落とした状態で表示する。もしくは、変更項目３３に表示された文字部分の画素の輝度についてはそのままの輝度で表示し、変更項目３３の周辺３４を、変更項目３３及び周辺３４の画素と表示部１２に表示された背景画像の画素と合わせたものを除算した画素により表示する。このため、変更項目３３が表示された箇所における地図も視認することができ、ユーザの利便性の向上が図られている。
【００３３】
一方、所定の大きさで変更項目を表示部１２に表示できない場合（ステップＳＣ６：ＮＯ）、制御部１０は、変更項目テーブル２５を参照して変更項目を取得し、特別表示、自車両マーク３１、経路、及び、方位表示１７を避けた状態で変更項目を表示部１２に表示できるよう、表示すべき変更項目の大きさを縮小して表示部１２に表示する（ステップＳＣ８）。これにより、ユーザは、経路を容易に認識できる状態で変更項目の全体を参照することができる。
ステップＳＣ７又はステップＳＣ８において、変更項目を表示部１２に表示した後、制御部１０は、所定期間Ｓの計測を開始し（ステップＳＣ３）、この所定期間Ｓが経過したか否かを監視し（ステップＳＣ４）、所定期間Ｓが経過したときは（ステップＳＣ４：ＹＥＳ）、変更項目の表示部１２への表示を停止する（ステップＳＣ５）。
【００３４】
さて、前掲図３に戻り、変更項目表示処理によって変更項目を表示部１２に表示した後、制御部１０は、処理をステップＳＡ１に戻し、再び、楽曲の再生変更があったか否かを判定する。つまり、ステップＳＡ２の変更項目特定処理及びステップＳＡ３の変更項目表示処理は、楽曲の再生変更が発生したタイミングで随時行われることとなる。
【００３５】
なお、上述した実施形態では、メディア装置１４による楽曲の再生が既に行われている状態で楽曲の再生変更が行われたときを例にして本発明を説明したが、メディア装置１４によって新たに音楽ＣＤを再生する場合や、メディア装置１４による楽曲の再生が停止されていた場合等、再生変更前の楽曲が存在しない場合は、例えば、以下の動作が実行される。すなわち、メディア装置１４から音楽ＣＤが抜き取られたり、また、音楽ＣＤの再生がユーザによって停止されたりした場合、制御部１０は、変更前楽曲情報テーブル２３の各フィールドの内容を一旦クリアする。次いで、メディア装置１４によった新たな音楽ＣＤの楽曲の再生が行われたり、ユーザによって再び楽曲の再生が指示されたりした場合、制御部１０は、再生する楽曲の楽曲情報に基づいて、当該楽曲の楽曲情報の楽曲関連項目全てを表示部１２に表示する。そして、以降は、上述した動作に従って、楽曲の再生変更が発生したタイミングで変更項目のみを表示し、表示部１２の見やすさを向上する。ここで、上記説明では、変更前楽曲情報テーブル２３の各フィールドの内容をクリアするタイミングの一例を挙げたが、クリアするタイミングはこれに限らずユーザの利便性を考慮し適宜設定できることは言うまでもない。
【００３６】
以上説明したように、本実施形態によれば、楽曲の再生変更があったときに、楽曲関連項目のうちユーザが最も知りたい情報である変更項目のみが表示部１２に表示されるため、表示部１２に表示される楽曲情報が小さくて済み、ユーザが望む楽曲情報を提供しつつ表示部に表示された曲表示が、ナビゲーション装置の表示部に表示された他の表示の妨げにならないような態様で表示することができる。
【００３７】
また、本実施形態によれば、楽曲の再生変更後、所定期間Ｓの間、変更項目を表示部１２に表示し、所定期間Ｓの経過後、変更項目の表示を停止するようにしている。このように、変更項目を所定期間の間表示部に表示し、それ以上表示する必要性が薄れた後は、変更項目の表示部への表示を停止するため、曲表示が、ナビゲーション装置の表示部に表示された他の表示の妨げにならないような態様で表示することができる。
【００３８】
また、本実施形態によれば、制御部１０は、楽曲の再生変更前の楽曲の楽曲関連項目を変更前楽曲情報テーブル２３に記憶し、楽曲の再生変更後の楽曲の楽曲関連項目を変更後楽曲情報テーブル２４に記憶し、これら変更前楽曲情報テーブル２３に記憶された楽曲関連項目と、変更後楽曲情報テーブル２４に記憶された楽曲関連項目との比較結果に基づいて変更項目を特定している。このため、変更項目の特定を容易かつ確実に行うことができる。
【００３９】
また、本実施形態によれば、変更項目を表示部１２に表示する際、少なくとも自車両マーク３１と経路３２とを避けた位置に変更項目を表示する。このため、ユーザが自車両の進むべき経路を認識する際に、楽曲情報が邪魔になることなく、容易に経路を認識することができる。
【００４０】
また、本実施形態によれば、変更項目を表示部１２に表示する際、表示部１２に特別表示が表示されている場合は、特別表示を避けた位置に変更項目を表示する。このため、楽曲情報を表示部１２に表示する場合であっても、地図や楽曲情報より優先度の高い特別表示の表示が確実に維持されることとなり、ユーザの利便性を向上することができる。
【００４１】
また、本実施形態によれば、変更項目を表示部１２に表示する際、変更項目と共に、楽曲関連項目に変更があった旨の表示を行う。このように楽曲関連項目の変更が発生した旨が表示部１２に明確に表示されるため、ユーザは、表示部１２を参照することにより、容易に何れの楽曲関連項目に変更が発生したのかを認識できると共に、変更後の楽曲関連項目をすぐに知ることができる。
【００４２】
＜第２実施形態＞
上述した第１実施形態では、楽曲の再生変更があったときに、変更項目のみを表示部１２に表示していたが、本実施形態では、変更項目と共に、楽曲関連項目に変更があった旨の表示が行われる。
図８は、本実施形態において、楽曲の再生変更があったときの表示部１２の状態を示す図であり、（Ａ）は、楽曲の再生変更前の表示部１２の状態を示し、（Ｂ）は、楽曲の再生変更後の表示部１２の状態を示す。なお、図８において、楽曲情報には、符号３３が用いられている。
図８（Ｂ）に示すように、楽曲の再生変更があったとき、制御部１０は、変更項目３３を表示部１２に表示すると共に、変更項目３３に変更される前の楽曲関連項目を示し、これにより、変更項目３３への推移がユーザに示されている。さらに、楽曲変更項目の変更が発生した旨表示されている（図８（Ｂ）に示す例では、「曲名が変更されました」と表示されている）。本実施形態によれば、第１実施形態と同様の効果を得ることができる他、以下の効果を得ることができる。すなわち、楽曲関連項目の変更が発生した旨が表示部１２に明確に表示されるため、ユーザは、表示部１２を参照することにより、容易に何れの楽曲関連項目に変更が発生したのか否かを認識できると共に、変更後の楽曲関連項目をすぐに知ることができる。
【００４３】
なお、上述した実施の形態は、あくまでも本発明の一態様を示すものであり、本発明の範囲内で任意に変形および応用が可能である。
例えば、ＣＤや、ＭＤ、ＤＶＤ等のメディアに記録された楽曲に限らず、ＨＤＤ１６や、携帯型音楽再生装置に記録された楽曲を再生可能に構成してもよい。
また、本実施形態では、楽曲関連項目は、歌手名項目、アルバム名項目、及び、曲名項目の３つの楽曲関連項目を有していたが、楽曲関連項目はこれに限らず、例えば楽曲のジャンルを示す情報であるジャンル項目や楽曲のテンポを示す情報であるテンポ項目等任意に設定することができる。
また、本実施形態では、楽曲の再生変更後は、表示部１２に変更項目を所定期間Ｓだけ表示する構成であったが、次に楽曲の再生変更が行われるまで変更項目を表示部１２に表示する構成であってもよい。この構成であっても、表示部１２に表示される楽曲情報を減らし、表示部１２の見やすさを向上することができ、第１実施形態や第２実施形態で説明した効果を得ることができる。
【図面の簡単な説明】
【００４４】
【図１】本実施形態に係るナビゲーション装置の機能的構成を示すブロック図である。
【図２】（Ａ）は、変更前楽曲情報テーブルの模式図であり、（Ｂ）は、変更後楽曲情報テーブルの模式図であり、（Ｃ）は、変更項目テーブルの模式図である。
【図３】楽曲情報を表示する際のナビゲーション装置の動作を示すフローチャートである。
【図４】変更項目特定処理時の動作を示すフローチャートである。
【図５】変更項目表示処理時の動作を示すフローチャートである。
【図６】楽曲情報を表示する際の表示部の一例を示す図であり、（Ａ）は、再生する楽曲の変更前の表示部の状態を示し、（Ｂ）は、再生する楽曲の変更後の表示部の状態を示す。
【図７】楽曲情報を表示する際の表示部の一例を示す図であり、（Ａ）は、再生する楽曲の変更前の表示部の状態を示し、（Ｂ）は、再生する楽曲の変更後の表示部の状態を示す。
【図８】第２実施形態における表示部の一例を示す図であり、（Ａ）は、再生する楽曲の変更前の表示部の状態を示し、（Ｂ）は、再生する楽曲の変更後の表示部の状態を示す。
【符号の説明】
【００４５】
１  ナビゲーション装置
１０  制御部（表示制御手段、変更前楽曲記憶手段、変更後楽曲記憶手段、変更項目特定手段）
１２  表示部
１４  メディア装置（楽曲再生手段）
３０  ３Ｄ画面（特別表示）
３１  自車両マーク（自車両位置を示す表示）
３２  経路
３３  変更項目。
【図１】
0005153460.tif 000002
【図２】
0005153460.tif 000003
【図３】
0005153460.tif 000004
【図４】
0005153460.tif 000005
【図５】
0005153460.tif 000006
【図６】
0005153460.tif 000007
【図７】
0005153460.tif 000008
【図８】
0005153460.tif 000009